(57)【要約】【課題】  小型で使い勝手がよく、包皮輪を思い通りの力加減で安全に押し広げることができ、構造も単純で製造コストを低減できるようにする。【解決手段】  包皮開口部に挿入される一対のフィンガー（２Ｒ，２Ｌ）を無段階で開閉させ、程よい力加減で包皮開口部に張力を作用させることができるだけでなく、無理な張力を作用させたり包皮を挟んでしまうおそれがないように、フィンガー（２Ｒ，２Ｌ）の少なくとも先端側を近接離反可能に形成し、フィンガー（２Ｒ，２Ｌ）を近接離隔させる際に、その先端側移動量を規制するねじ送り機構（３）を備えた。【選択図】図１
2008142107.tif 000002
【特許請求の範囲】
【請求項１】
包茎の包皮開口部を内側から押し広げて矯正する包茎矯正具において、
包皮開口部に挿入される一対のフィンガーを備え、少なくともその先端側が近接離反可能に形成されると共に、その先端側移動量を規制するねじ送り機構を備えたことを特徴とする包茎矯正具。
【請求項２】
前記フィンガーの先端には、外側に向って膨らむ球面フックが形成された請求項１記載の包茎矯正具。
【請求項３】
前記ねじ送り機構は、各フィンガーに形成された左右逆ねじのねじ穴と、フィンガー間に収容される回転子を中心に左右両側に延設されて前記各ねじ穴に螺合する左右逆ねじの送りねじを備えてなる請求項１記載の包茎矯正具。
【請求項４】
前記フィンガーの後端側に、両フィンガーを貫通するガイドロッドを摺動可能に挿通するガイド穴が形成され、前記ねじ送り機構によりフィンガーの先端側を近接離反させるときに、フィンガーが平行状態を維持したままガイドロッドに対してスライド移動される請求項１記載の包茎矯正具。
【請求項５】
前記フィンガーが、包皮開口部に挿入されるフィンガーチップと、これを交換可能に装着するフィンガー本体とから成る請求項１記載の包茎矯正具。
【発明の詳細な説明】
【技術分野】
【０００１】
本発明は、包茎、特に、真性包茎を矯正するために使用する包茎矯正具に関する。
【背景技術】
【０００２】
亀頭全体が包皮で覆われて、勃起時にも亀頭が全く露出しない真性包茎は、余分な包皮を切除して包皮開口部を広げる整形外科手術によって矯正することができるが、その手術費が著しく高額な上、術後の通院費や薬代も嵩み、金銭面での負担が大きいという問題があった。
【０００３】
また、包茎の手術に際しては、包皮を切りすぎたために、勃起時にその包皮が突っ張ったり、包皮の縫合箇所がケロイド状になるなど醜くなったり、あるいは包皮と共に性感帯の一部が切除されたり、性感伝達神経が傷つけられることにより射精不能になるなどのリスクを伴うことが知られている。
そして、術後は２週間ほど痛みが続き、その間、包帯が取れないために入浴や放尿も困難になるという不自由な生活を包茎患者に強いることになる。
さらに、包茎患者の中には、恥ずかしさのために手術を受けることができず、人知れず悩んでいる人も多い。
【０００４】
包茎解説書「子供の包茎相談室」（非特許文献１参照）によれば、真性包茎は亀頭を包む包皮先端の包皮輪（包皮開口部）が小さいことが原因であり、「鉗子を用いて包皮輪を広げればその開口部から亀頭を露出させることができる」とされ、さらに、「専門医でなくても容易に取り扱うことのできる包茎矯正具が市販されることが望まれている」趣旨の記載がある。
【非特許文献１】高橋  剛著、「こどもの包茎相談室」、近代文芸社、２０００年１２月
【０００５】
また、包茎解説書「切ってはいけません! 日本人が知らない包茎の真実」（非特許文献２参照）では、包皮の有用性を指摘した上で、包茎手術を否定する立場で、包皮輪を広げることによる真性包茎矯正を奨励している。著者である泌尿器科医師は、実際に、鉗子で包皮輪を広げ真性包茎を矯正した実績が豊富であり、「真性包茎は手術の必要が無く、包皮輪を広げることで矯正できる」としている。
【非特許文献２】石川英二著、「切ってはいけません! 日本人が知らない包茎の真実」新潮社、２００５年９月２１日
【０００６】
そこで本発明者は、特許文献１に記載の包茎矯正具を製作し、これを患者に試用したところ、毎日午前と午後の２回、それぞれ３０分間使用することにより、約２〜３週間で包皮輪が伸びてその開口部が広がり、亀頭が完全に露出するようになった（特許文献１参照）。
【特許文献１】特開２００４−１４１１８８号公報
【０００７】
この包茎矯正具は、二本の柄でなるグリップをスプリングの弾撥力に抗して握り込むと、二つの顎が開いて両顎の先端に直角に設けた一対のブレードが互いに離反する方向に動くように構成されたペンチ状の器具で、その一対のブレードを真性包茎の包皮開口部に挿入してグリップを握り込むことにより、ラチェット機構によりブレードの距離が維持されるので、長時間にわたって連続使用しても手がだるくなったり疲れることなく、多少痛さを感じる程度に効果的に張力を作用させて包皮開口部を押し広げることができる。
【０００８】
しかしながら、ペンチ状の器具は、どうしても大型で重くなるだけでなく、自ら使用する場合に、ブレードを手前に向けて、グリップをブレードの向こう側に位置させなければならないので、手首を折返してペンチを逆手で持つような使い勝手となり、極めて使い難いことが判明した。
また、手首が返っているのでラチェット操作が容易でないだけなく、ブレードの間隔を段階的にしか調整することができないので、包皮開口部を思い通りの力加減で押し広げることができないという問題も生じた。
さらに、グリップの開閉によりブレードが簡単に開閉するため、包皮開口部を伸ばしている最中にラチェットが外れるなど何かの拍子にグリップを開く方向の力が作用すると、ブレードが閉じて亀頭を挟んでしまうおそれがある。
さらにまた、ペンチ状の器具は、個々の部品の形状が複雑で製造コストが嵩むという問題もある。
【発明の開示】
【発明が解決しようとする課題】
【０００９】
そこで本発明は、小型で使い勝手がよく、包皮開口部を思い通りの力加減で安全に押し広げることができ、構造も単純で製造コストを低減できるようにすることを技術的課題としている。
【課題を解決するための手段】
【００１０】
この課題を解決するために、請求項１の発明は、包茎の包皮開口部を内側から押し広げて矯正する包茎矯正具において、包皮開口部に挿入される一対のフィンガーを備え、少なくともその先端側が近接離反可能に形成されると共に、その先端側移動量を規制するねじ送り機構を備えたことを特徴としている。
【発明の効果】
【００１１】
本発明によれば、例えば、スライドして近接離反するように形成された一対のフィンガーをねじ送り機構によりその移動量を規制しながら開閉できるので、フィンガー先端を包皮開口部に挿入した状態で、送りねじに取り付けられた操作子を回転させるだけで、フィンガーが開いていき、包皮開口部を確実に押し広げることができる。
このとき、フィンガーはねじ送りされているので、移動量が無段階で変化し、程よい力加減で張力を作用させることができるだけでなく、急に開いたり閉じたりすることがないので、無理な張力を作用させたり、逆に包皮をはさんでしまうおそれもない。
また、ペンチ状の器具のようなグリップ部が必要ないので、小型且つ軽量に形成することができるだけでなく、フィンガー先端を手前に向けて回転子を操作すれば足りるので、グリップを逆手に持ったりする必要もなく、極めて操作性に優れ使い勝手がよいという効果もある。
さらにまた、グリップがないので、フィンガー部分のみを近接離反するように形成すれば足り、個々の部品の形状を単純化して、製造コストも低減することができる。
【発明を実施するための最良の形態】
【００１２】
本例では、小型で使い勝手がよく、包皮開口部を思い通りの力加減で安全に押し広げることができ、構造も単純で製造コストを低減できるようにするという目的を達成するために、包茎の包皮開口部を内側から押し広げて矯正する包茎矯正具において、包皮開口部に挿入される一対のフィンガーを備え、少なくともその先端側が近接離反可能に形成されると共に、その先端側移動量を規制するねじ送り機構を備えた。
【００１３】
以下、本発明を図面に示す実施例に基づいて説明する。
図１は本発明に係る包茎矯正具の一例を示す説明図、図２は本発明に係る他の実施形態を示す説明図である。
【実施例１】
【００１４】
本例の包茎矯正具１は、包茎の包皮開口部を内側から押し広げて矯正するもので、包皮開口部に挿入される一対のフィンガー２Ｒ、２Ｌを備え、少なくともその先端側が近接離反可能に形成されると共に、その先端側移動量を規制するねじ送り機構３を備えている。
フィンガー２Ｒ、２Ｌは、先端に向って徐々に細くなり、その先端部には外側に向って膨らむ略半球状の球面フック４，４が形成され、球面フック４，４の根元が小径のネック５，５に形成されている。
これにより、球面フック４，４を包皮開口部に挿入させると、包皮開口部がネック５，５に引っ掛かるので、押し広げる際に包皮開口部がずれたり外れたりすることなく確実に保持することができ、さらに、包皮開口部の内側と接する部分が球面に形成されているので、包皮を傷つけることもない。
【００１５】
ねじ送り機構３は、各フィンガー２Ｒ、２Ｌに形成された左右逆ねじのねじ穴６Ｒ，６Ｌと、フィンガー２Ｒ、２Ｌ間に収容される回転子７を中心に左右両側に延設されて前記各ねじ穴６Ｒ，６Ｌに螺合する左右逆ねじの送りねじ８Ｒ，８Ｌを備えている。
【００１６】
また、フィンガー２Ｒ，２Ｌは平行に配され、その後端側には、これらを貫通するガイドロッド９を摺動可能に挿通させるガイド穴１０，１０が形成され、ねじ送り機構３により両フィンガー２Ｒ，２Ｌの先端側を近接離反させるときに、フィンガー２Ｒ，２Ｌが平行状態を維持したままガイドロッド９に対してスライド移動されるようになされている。
【００１７】
これにより、回転子７を正転させれば、双方のフィンガー２Ｒ、２Ｌがねじ送りされて等距離ずつ離反する方向に無段階で移動し、ガイドロッド９に案内されて平行状態を維持したまま球面フック４，４の間隔は開いていく。
そして、回転子７の回転を止めれば、球面フック４，４はその間隔に維持され、ねじ送り機構３により移動が規制されるので、負荷がかかっても閉じたり開いたりすることがない。
また、回転子７を逆転させれば、双方のフィンガー２Ｒ、２Ｌがねじ送りされて等距離ずつ近接する方向に移動し、球面フック４，４の間隔は狭まっていく。
このとき、球面フック４，４の動きはねじ送り機構３に規制され，急激に閉じることがないので，球面フック４，４で包皮を挟み込むおそれもない。
【００１８】
以上が本発明の一例構成であり、次にその作用について説明する。
まず、フィンガー２Ｒ、２Ｌを閉じた状態で、その先端を手前に向け、球面フック４，４を包皮開口部に挿入させる。
次いで、回転子７を正転させながらフィンガー２Ｒ，２Ｌを開いていくと、包皮開口部がネック５，５に引っ掛かって確実に保持される。
この状態から、回転子７をさらに回転させると、フィンガー２Ｒ，２Ｌが等距離ずつ離反する方向に移動し、ガイドロッド９に案内されて平行状態を維持したまま球面フック４，４の間隔はさらに開き、包皮開口部に張力を作用させることができる。
このとき、フィンガー２Ｒ，２Ｌはねじ送り機構３により規制されて無段階でねじ送りされるので、急に開いて無理な張力が作用するおそれもなく、包皮開口部に程よい力加減で張力を作用させることができる。
すなわち、ねじ送り機構３により、球面フック４，４を個人差に応じた最適な間隔で固定することができるので矯正効果が高い。
【００１９】
そして、このまま所定時間放置した後、回転子７を逆転させれば、フィンガー２Ｒ，２Ｌが等距離ずつ近接する方向に移動し、ガイドロッド９に案内されて平行状態を維持したまま球面フック４，４の間隔が狭まる。
このときも、フィンガー２Ｒ，２Ｌはねじ送り機構３により規制されて無段階でねじ送りされるので、急に閉じて包皮を挟んでしまうおそれがない。
そして、包皮開口部がネック５から外れる位置まで球面フック４，４を近接させた状態で、フィンガー２Ｒ，２Ｌを包皮開口部から抜き出せば、フック４，４に引っ掛かっていた包皮開口部を安全且つ簡単に外すことができる。
このように、毎日午前と午後の２回、それぞれ３０分間使用することにより、約２〜３週間で包皮開口部が伸びて広がり、亀頭を完全に露出させることができた。
【実施例２】
【００２０】
図２は他の実施形態を示す説明図である。なお、図１と重複する部分は同一符号を付して詳細説明を省略する。
真正包茎矯正初期にはフック４が大きすぎると包皮輪に挿し込むことができず、包皮輪がある程度拡径した段階ではフック４が小さすぎるとその部分で応力集中を起こし包皮が傷付きやすいという問題を生ずる。
そこで本例では、包皮輪の拡径に伴い、フィンガー先端部の太さを可変に調整できるようにしている。
すなわち、フィンガー２Ｒ、２Ｌが、包皮開口部に挿入されるフィンガーチップ１１Ｒ，１１Ｌと、これを交換可能に装着するフィンガー本体１２Ｒ，１２Ｌとから成る。
【００２１】
そして、本例のねじ送り機構３は、フィンガー本体１２Ｒ，１２Ｌに形成された左右逆ねじのねじ穴６Ｒ，６Ｌと、フィンガー本体１２Ｒ，１２Ｌ間に収容される回転子７を中心に左右両側に延設されて前記各ねじ穴６Ｒ，６Ｌに螺合する左右逆ねじの送りねじ８Ｒ，８Ｌとを備えている。
また、フィンガー本体１２Ｒ，１２Ｌは平行に配され、その後端側には、これらを貫通するガイドロッド９を摺動可能に挿通させるガイド穴１０，１０が形成され、ねじ送り機構３により両フィンガー２Ｒ，２Ｌの先端側を近接離反させるときに、フィンガー２Ｒ，２Ｌが平行状態を維持したままガイドロッド９に対してスライド移動されるようになされている。
さらに、フィンガー本体１２Ｒ，１２Ｌの先端側にはフィンガーチップ１１Ｒ，１１Ｌを装着する装着孔１３が形成されると共に、挿し込んだフィンガーチップ１１Ｒ，１１Ｌが抜けないように固定する止めネジ１４が配されている。
【００２２】
フィンガーチップ１１Ｒ，１１Ｌは、装着孔１３に挿し込んだ状態で回転しないように挿込部１５にキー１６が形成されている。
また、サイズが大小複数種類用意され、本例では、先端部直径ｄ１＝６ｍｍの球面フック４ａが形成されたものと、先端部直径ｄ２＝１５ｍｍの球面フック４ｂが形成されたフィンガーチップ１１Ｒ，１１Ｌが交換可能に装着されるようになっている。
【００２３】
これにより、真正包茎矯正初期では、先端部直径ｄ１＝６ｍｍの球面フック４ａが形成されたフィンガーチップ１１Ｒ，１１Ｌを装着することにより、フック４ａを確実に包皮輪内に差し込むことができる。
また、包皮輪がある程度拡径した段階で、先端部直径ｄ２＝１５ｍｍの球面フック４ｂが形成されたフィンガーチップ１１Ｒ，１１Ｌを装着することにより、フック４ｂで応力集中を起こすこともなく包皮が傷付きにくくなる。
【産業上の利用可能性】
【００２４】
以上述べたように、本発明は、包皮開口部を押し広げることにより、包茎、特に、真性包茎を矯正する包茎矯正具の用途に適用できる。
【図面の簡単な説明】
【００２５】
【図１】本発明に係る包茎矯正具の一例を示す説明図。
【図２】本発明に係る他の実施形態を示す説明図。
【符号の説明】
【００２６】
１          包茎矯正具  
２Ｒ、２Ｌ  フィンガー
３          ねじ送り機構
４          球面フック
５          ネック
６Ｒ，６Ｌ  ねじ穴
７          回転子
８Ｒ，８Ｌ  送りねじ
９          ガイドロッド
１０        ガイド穴
【図１】
2008142107.tif 000003
【図２】
2008142107.tif 000004